(57)【要約】【課題】受信状態が不良な状態であってもその後の再生が可能な動画記録を可能とすること。【解決手段】動画記録ストリーム生成装置１０は、ストリーム受信部１、ストリーム解析部２、記憶部３、エラー検出部４、切換判断部５、ストリーム出力部６を具備する。ストリーム受信部１に、高エラー耐性で低画質の第１の放送の第１の動画Ａのトランスポートストリーム(ＴＳ)と低エラー耐性で高画質の第２の放送の第２の動画ＢのＴＳが入力される。ストリーム受信部１に入力されるＴＳは、記憶部３に一時的に蓄積される。エラー検出部４によって検出されるＴＳのエラーが第１レベル以下の場合、低エラー耐性で高画質の第２の動画ＢのＴＳが出力部６によって選択され記憶装置に録画される出力動画Ｃとして出力され、ＴＳのエラーが第２レベル以上の場合、高エラー耐性で低画質の第１の動画ＡのＴＳが出力部６によって選択され出力される。【選択図】図１
2011029991.tif 000002
【特許請求の範囲】
【請求項１】
高エラー耐性で低画質の第１の放送の第１の動画のトランスポートストリームと、低エラー耐性で高画質の第２の放送の第２の動画のトランスポートストリームとの少なくとも２種類の動画を含むトランスポートストリームの入力が可能とされたストリーム受信部と、
前記ストリーム受信部に入力される前記トランスポートストリームのストリーム解析が可能とされたストリーム解析部と、
前記ストリーム受信部に入力される前記トランスポートストリームを一時的に蓄積する記憶部と、
前記ストリーム受信部に入力される前記トランスポートストリームのエラーの検出が可能とされたエラー検出部と、
前記エラー検出部のエラー情報に応答して選択信号を生成する切換判断部と、
前記切換判断部から生成される前記選択信号に応答して前記記憶部に一時的に蓄積された前記第１の動画の前記トランスポートストリームと、前記第２の動画の前記トランスポートストリームとの一方を選択して記憶装置に録画される出力動画として出力可能とされたストリーム出力部とを具備して、
前記エラー検出部によって検出される前記トランスポートストリームの前記エラーが第１レベル以下の場合には、低エラー耐性で高画質の前記第２の動画の前記トランスポートストリームが前記ストリーム出力部によって選択され前記出力動画として出力可能とされ、
前記エラー検出部によって検出される前記トランスポートストリームの前記エラーが前記第１レベルより高い第２レベル以上の場合には、高エラー耐性で低画質の前記第１の動画の前記トランスポートストリームが前記ストリーム出力部によって選択され前記出力動画として出力可能とされたことを特徴とする動画記録ストリーム生成装置。
【請求項２】
前記エラー検出部によって検出される前記エラーの大きさに応答する前記ストリーム出力部による低エラー耐性で高画質の前記第２の動画と高エラー耐性で低画質の前記第１の動画との選択・切り換えの切り換え単位は、ＭＰＥＧの動画符号化方式の複数のピクチャであることを特徴とする請求項１に記載の動画記録ストリーム生成装置。
【請求項３】
前記切り換え単位の期間の途中で前記エラーが前記第２レベル以上となると、前記切り換え単位の期間の先頭から低エラー耐性で高画質の前記第２の動画から高エラー耐性で低画質の前記第１の動画に前記ストリーム出力部(によって切り換えられ前記出力動画として出力可能とされたことを特徴とする請求項２に記載の動画記録ストリーム生成装置。
【請求項４】
前記切り換え単位の前記複数のピクチャは前記ＭＰＥＧの前記動画符号化方式のグループオブピクチャであることを特徴とする請求項３に記載の動画記録ストリーム生成装置。
【請求項５】
前記ストリーム受信部と、前記ストリーム解析部と、前記エラー検出部と、前記切換判断部と、前記ストリーム出力部とは、半導体集積回路の内部回路でそれぞれ構成されたことを特徴とする請求項４に記載の動画記録ストリーム生成装置。
【請求項６】
前記記憶部は前記半導体集積回路と別個に構成されたものであることを特徴とする請求項５に記載の動画記録ストリーム生成装置。
【請求項７】
前記記憶部は同期型ダイナミックメモリであることを特徴とする請求項６に記載の動画記録ストリーム生成装置。
【請求項８】
高エラー耐性で低画質の前記第１の放送の前記第１の動画は部分受信階層サービスの地上波デジタル放送に基づくものであり、低エラー耐性で高画質の前記第２の動画は固定受信階層サービスの地上波デジタル放送に基づくものであることを特徴とする請求項１乃至請求項７のいずれかに記載の動画記録ストリーム生成装置。
【請求項９】
高エラー耐性で低画質の第１の放送の第１の動画のトランスポートストリームと、低エラー耐性で高画質の第２の放送の第２の動画のトランスポートストリームとの少なくとも２種類の動画を含むトランスポートストリームの入力が可能とされたストリーム受信部と、
前記ストリーム受信部に入力される前記トランスポートストリームのストリーム解析が可能とされたストリーム解析部と、
前記ストリーム受信部に入力される前記トランスポートストリームを一時的に蓄積する記憶部と、
前記ストリーム受信部に入力される前記トランスポートストリームのエラーの検出が可能とされたエラー検出部と、
前記エラー検出部のエラー情報に応答して選択信号を生成する切換判断部と、
前記切換判断部から生成される前記選択信号に応答して前記記憶部に一時的に蓄積された前記第１の動画の前記トランスポートストリームと、前記第２の動画の前記トランスポートストリームとの一方を選択して記憶装置に録画される出力動画として出力可能とされたストリーム出力部とを具備する動画記録ストリーム生成装置の動作方法であって、
前記エラー検出部によって検出される前記トランスポートストリームの前記エラーが第１レベル以下の場合には、低エラー耐性で高画質の前記第２の動画の前記トランスポートストリームが前記ストリーム出力部によって選択され前記出力動画として出力可能とされ、
前記エラー検出部によって検出される前記トランスポートストリームの前記エラーが前記第１レベルより高い第２レベル以上の場合には、高エラー耐性で低画質の前記第１の動画の前記トランスポートストリームが前記ストリーム出力部によって選択され前記出力動画として出力可能とされたことを特徴とする動画記録ストリーム生成装置の動作方法。
【請求項１０】
前記エラー検出部によって検出される前記エラーの大きさに応答する前記ストリーム出力部による低エラー耐性で高画質の前記第２の動画と高エラー耐性で低画質の前記第１の動画との選択・切り換えの切り換え単位は、ＭＰＥＧの動画符号化方式の複数のピクチャであることを特徴とする請求項９に記載の動画記録ストリーム生成装置の動作方法。
【請求項１１】
前記切り換え単位の期間の途中で前記エラーが前記第２レベル以上となると、前記切り換え単位の期間の先頭から低エラー耐性で高画質の前記第２の動画から高エラー耐性で低画質の前記第１の動画に前記ストリーム出力部(によって切り換えられ前記出力動画として出力可能とされたことを特徴とする請求項１０に記載の動画記録ストリーム生成装置の動作方法。
【請求項１２】
前記切り換え単位の前記複数のピクチャは前記ＭＰＥＧの前記動画符号化方式のグループオブピクチャであることを特徴とする請求項１１に記載の動画記録ストリーム生成装置の動作方法。
【請求項１３】
前記ストリーム受信部と、前記ストリーム解析部と、前記エラー検出部と、前記切換判断部と、前記ストリーム出力部とは、半導体集積回路の内部回路でそれぞれ構成されたことを特徴とする請求項１２に記載の動画記録ストリーム生成装置。
【請求項１４】
前記記憶部は前記半導体集積回路と別個に構成されたものであることを特徴とする請求項１３に記載の動画記録ストリーム生成装置の動作方法。
【請求項１５】
前記記憶部は同期型ダイナミックメモリであることを特徴とする請求項１４に記載の動画記録ストリーム生成装置の動作方法。
【請求項１６】
高エラー耐性で低画質の前記第１の放送の前記第１の動画は部分受信階層サービスの地上波デジタル放送に基づくものであり、低エラー耐性で高画質の前記第２の動画は固定受信階層サービスの地上波デジタル放送に基づくものであることを特徴とする請求項９乃至請求項１５のいずれかに記載の動画記録ストリーム生成装置の動作方法。
【発明の詳細な説明】
【技術分野】
【０００１】
本発明は、動画記録ストリーム生成装置およびその動作方法に関し、特に受信状態が不良な状態であってもその後の再生が可能な動画記録を可能とするのに有効な技術に関するものである。
【背景技術】
【０００２】
デジタル放送を記録する記録装置内蔵型放送受信装置に関して、下記特許文献１には記録データの再生時に再生できないデータを記録することで記録効率が悪化すると言う問題を解決するために、エラーの検出時に単位時間当たりのエラー発生を測定して、所定値以上の場合は、記録装置への書き込みは行わないにすることが記載されている。
【０００３】
一方、移動体に搭載可能な地上波デジタルテレビ受信機に関して、下記特許文献２には受信した物理チャンネルの品質に応じて携帯受信階層の「強階層」と固定受信階層の「中階層」と移動受信階層の「弱階層」から受信状態の良好な物理チャンネルをチャンネルリストに登録することが記載されている。またここで、「強階層」の携帯受信階層は携帯電話向けの放送データ(ワンセグメント所謂ワンセグの放送データ)を伝送する階層、「中階層」の固定受信階層は家庭用テレビ受像機向けの放送データ(フルセグメント所謂フルセグの放送データ)を伝送する階層、「弱階層」の移動受信階層は車両等の移動体に搭載されるテレビ受像機向けの放送データ(所謂フルセグの放送データ)を伝送する階層である。
【先行技術文献】
【特許文献】
【０００４】
【特許文献１】特開２００３−１９９００８号  公報
【特許文献２】特開２００８−１１３１５号  公報
【発明の概要】
【発明が解決しようとする課題】
【０００５】
本発明者等は、本発明に先立って車載に搭載可能で車両の移動中に地上波デジタルを受信して動画を録画可能な動画記録ストリーム生成装置の研究・開発に従事した。その間で本発明者等は、背景技術に関しての検討を行った。
【０００６】
これまでの記録技術では、記録動作中にエラーが発生したとしても、エラーデータはそのまま記録されるため、エラー発生期間中の記録した動画を再生が不可能となるかまたは非常に乱れた画像での再生となってしまうものである。
【０００７】
また、上記特許文献１に記載の技術では、記録効率を改善するため記録装置への書き込みを停止するためのエラー検出は行っているが、エラーが発生した場合、動画記録を行わないため、エラー発生期間中の動画の再生が不可能となるものである。
【０００８】
一方、上記特許文献２に記載の技術では、受信状態の良好な物理チャンネルをチャンネルリストに登録することによって番組の視聴は可能であるが、受信状態が不良な状態での再生を可能とする動画記録については言及されていない。
【０００９】
本発明は、以上のような本発明に先立った本発明者等による検討の結果、なされたものである。
【００１０】
従って、本発明の目的とするところは、受信状態が不良な状態であってもその後の再生が可能な動画記録を可能とすることにある。
【００１１】
本発明の前記ならびにその他の目的と新規な特徴は、本明細書の記述および添付図面から明らかになるであろう。
【課題を解決するための手段】
【００１２】
本願において開示される発明のうちの代表的なものについて簡単に説明すれば下記のとおりである。
【００１３】
すなわち、本発明の代表的な実施の形態による動画記録ストリーム生成装置(１０)は、高エラー耐性で低画質の第１の放送の第１の動画(Ａ)のトランスポートストリーム(ＴＳ)と、低エラー耐性で高画質の第２の放送の第２の動画(Ｂ)のＴＳとの少なくとも２種類の動画を含むＴＳの入力されるストリーム受信部(１)と、
前記ストリーム受信部(１)に入力される前記ＴＳのストリーム解析を実行するストリーム解析部(２)と、
前記ストリーム受信部(１)に入力される前記ＴＳを一時的に蓄積する記憶部(３)と、
前記ストリーム受信部(１)に入力される前記ＴＳのエラーを検出するエラー検出部(４)と、
前記エラー検出部(４)のエラー情報(１１１)に応答して選択信号(１１２)を生成する切換判断部(５)と、
前記選択信号(１１２)に応答して前記記憶部(３)に一時的に蓄積された前記第１の動画(Ａ)の前記ＴＳと、前記第２の動画(Ｂ)の前記ＴＳとの一方を選択して記憶装置に録画される出力動画(Ｃ)として出力するストリーム出力部(６)とを具備する(図１参照)。
【００１４】
前記エラー検出部(４)によって検出される前記ＴＳの前記エラーが第１レベル(Ｓ０)以下の場合には、低エラー耐性で高画質の前記第２の動画(Ｂ)の前記ＴＳ(Ｂ−１、Ｂ−３)が前記ストリーム出力部(６)によって選択され前記出力動画(Ｃ)として出力可能とされる。
【００１５】
前記エラー検出部(４)によって検出される前記ＴＳの前記エラーが前記第１レベル(Ｓ０)より高い第２レベル(Ｓ１)以上の場合には、高エラー耐性で低画質の前記第１の動画(Ａ)の前記ＴＳ(Ａ−２)が前記ストリーム出力部(６)によって選択され前記出力動画(Ｃ)として出力可能とされたことを特徴とするものである(図２、図３参照)。
【発明の効果】
【００１６】
本願において開示される発明のうち代表的なものによって得られる効果を簡単に説明すれば下記の通りである。すなわち、本発明によれば、受信状態が不良な状態であってもその後の再生が可能な動画記録を可能とすることができる。
【図面の簡単な説明】
【００１７】
【図１】図１は、本発明の実施の形態１による動画記録ストリーム生成装置１０の構成を示す図である。
【図２】図２は、図１に示す本発明の実施の形態１による動画記録ストリーム生成装置１０における動画の選択・切り換えの動作のためのエラー検出を説明する図である。
【図３】図３は、図２に示したエラー状態の検出時刻ＰＴ１〜ＰＴ３と図１に示した本発明の実施の形態１による動画記録ストリーム生成装置１０における動画の選択・切り換えの切り換え時刻ＰＴ０〜ＰＴ２との関係を説明する図である。
【図４】図４は、ＭＰＥＧの動画符号化方式における階層構造を説明する図である。
【図５】図５は、本発明の実施の形態２による動画記録ストリーム生成装置１０の構成を示す図である。
【図６】図６は、図５に示す本発明の実施の形態２による動画記録ストリーム生成装置１０における動画の選択・切り換えの動作を説明する図である。
【発明を実施するための形態】
【００１８】
１．実施の形態の概要
まず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００１９】
〔１〕本発明の代表的な実施の形態による動画記録ストリーム生成装置(１０)は、高エラー耐性で低画質の第１の放送の第１の動画(Ａ)のトランスポートストリームと、低エラー耐性で高画質の第２の放送の第２の動画(Ｂ)のトランスポートストリームとの少なくとも２種類の動画を含むトランスポートストリームの入力が可能とされたストリーム受信部(１)と、
前記ストリーム受信部(１)に入力される前記トランスポートストリームのストリーム解析が可能とされたストリーム解析部(２)と、
前記ストリーム受信部(１)に入力される前記トランスポートストリームを一時的に蓄積する記憶部(３)と、
前記ストリーム受信部(１)に入力される前記トランスポートストリームのエラーの検出が可能とされたエラー検出部(４)と、
前記エラー検出部(４)のエラー情報(１１１)に応答して選択信号(１１２)を生成する切換判断部(５)と、
前記切換判断部(５)から生成される前記選択信号(１１２)に応答して前記記憶部(３)に一時的に蓄積された前記第１の動画(Ａ)の前記トランスポートストリームと、前記第２の動画(Ｂ)の前記トランスポートストリームとの一方を選択して記憶装置に録画される出力動画(Ｃ)として出力可能とされたストリーム出力部(６)とを具備して(図１参照)、
前記エラー検出部(４)によって検出される前記トランスポートストリームの前記エラーが第１レベル(Ｓ０)以下の場合には、低エラー耐性で高画質の前記第２の動画(Ｂ)の前記トランスポートストリーム(Ｂ−１、Ｂ−３)が前記ストリーム出力部(６)によって選択され前記出力動画(Ｃ)として出力可能とされ、
前記エラー検出部(４)によって検出される前記トランスポートストリームの前記エラーが前記第１レベル(Ｓ０)より高い第２レベル(Ｓ１)以上の場合には、高エラー耐性で低画質の前記第１の動画(Ａ)の前記トランスポートストリーム(Ａ−２)が前記ストリーム出力部(６)によって選択され前記出力動画(Ｃ)として出力可能とされたことを特徴とするものである(図２、図３参照)。
【００２０】
前記実施の形態によれば、受信状態が不良な状態であってもその後の再生が可能な動画記録を可能とすることができる。
【００２１】
好適な実施の形態は、前記エラー検出部(４)によって検出される前記エラーの大きさに応答する前記ストリーム出力部(６)による低エラー耐性で高画質の前記第２の動画(Ｂ)と高エラー耐性で低画質の前記第１の動画(Ａ)との選択・切り換えの切り換え単位は、ＭＰＥＧの動画符号化方式の複数のピクチャであることを特徴とするものである(図４参照)。
【００２２】
他の好適な実施の形態は、前記切り換え単位の期間(Ｂ−２)の途中(ＰＴ１)で前記エラーが前記第２レベル(Ｓ１)以上となると、前記切り換え単位の期間(Ｂ−２)の先頭(ＰＴ０)から低エラー耐性で高画質の前記第２の動画(Ｂ)から高エラー耐性で低画質の前記第１の動画(Ａ)に前記ストリーム出力部(６)によって切り換えられ前記出力動画(Ｃ)として出力可能とされたことを特徴とするものである(図２、図３参照)。
【００２３】
より好適な実施の形態は、前記切り換え単位の前記複数のピクチャは前記ＭＰＥＧの前記動画符号化方式のグループオブピクチャ(ＧＯＰ)であることを特徴とするものである(図４参照)。
【００２４】
他のより好適な実施の形態では、前記ストリーム受信部(１)と、前記ストリーム解析部(２)と、前記エラー検出部(４)と、前記切換判断部(５)と、前記ストリーム出力部(６)とは、半導体集積回路の内部回路でそれぞれ構成されたことを特徴とするものである(図１参照)。
【００２５】
具体的な実施の形態は、前記記憶部(３)は前記半導体集積回路と別個に構成されたものであることを特徴とするものである(図１参照)。
【００２６】
より具体的な実施の形態では、前記記憶部(３)は同期型ダイナミックメモリ(ＤＲＡＭ)であることを特徴とするものである。
【００２７】
最も具体的な実施の形態では、高エラー耐性で低画質の前記第１の放送の前記第１の動画(Ａ)は部分受信階層サービス(ワンセグ)の地上波デジタル放送に基づくものであり、低エラー耐性で高画質の前記第２の動画(Ｂ)は固定受信階層サービス(フルセグ)の地上波デジタル放送に基づくものであることを特徴とするものである。
【００２８】
〔２〕本発明の別の観点の代表的な実施の形態は、高エラー耐性で低画質の第１の放送の第１の動画(Ａ)のトランスポートストリームと、低エラー耐性で高画質の第２の放送の第２の動画(Ｂ)のトランスポートストリームとの少なくとも２種類の動画を含むトランスポートストリームの入力が可能とされたストリーム受信部(１)と、
前記ストリーム受信部(１)に入力される前記トランスポートストリームのストリーム解析が可能とされたストリーム解析部(２)と、
前記ストリーム受信部(１)に入力される前記トランスポートストリームを一時的に蓄積する記憶部(３)と、
前記ストリーム受信部(１)に入力される前記トランスポートストリームのエラーの検出が可能とされたエラー検出部(４)と、
前記エラー検出部(４)のエラー情報(１１１)に応答して選択信号(１１２)を生成する切換判断部(５)と、
前記切換判断部(５)から生成される前記選択信号(１１２)に応答して前記記憶部(３)に一時的に蓄積された前記第１の動画(Ａ)の前記トランスポートストリームと、前記第２の動画(Ｂ)の前記トランスポートストリームとの一方を選択して記憶装置に録画される出力動画(Ｃ)として出力可能とされたストリーム出力部(６)とを具備する動画記録ストリーム生成装置(１０) (図１参照) の動作方法であって、
前記エラー検出部(４)によって検出される前記トランスポートストリームの前記エラーが第１レベル(Ｓ０)以下の場合には、低エラー耐性で高画質の前記第２の動画(Ｂ)の前記トランスポートストリーム(Ｂ−１、Ｂ−３)が前記ストリーム出力部(６)によって選択され前記出力動画(Ｃ)として出力可能とされ、
前記エラー検出部(４)によって検出される前記トランスポートストリームの前記エラーが前記第１レベル(Ｓ０)より高い第２レベル(Ｓ１)以上の場合には、高エラー耐性で低画質の前記第１の動画(Ａ)の前記トランスポートストリーム(Ａ−２)が前記ストリーム出力部(６)によって選択され前記出力動画(Ｃ)として出力可能とされたことを特徴とするものである(図２、図３参照)。
【００２９】
前記実施の形態によれば、受信状態が不良な状態であってもその後の再生が可能な動画記録を可能とすることができる。
【００３０】
２．実施の形態の詳細
次に、実施の形態について更に詳述する。尚、発明を実施するための最良の形態を説明するための全図において、前記の図と同一の機能を有する部品には同一の符号を付して、その繰り返しの説明は省略する。
【００３１】
〔実施の形態１〕
《動画記録ストリーム生成装置の構成および動作》
図１は、本発明の実施の形態１による動画記録ストリーム生成装置１０の構成を示す図である。
【００３２】
図１に示す動画記録ストリーム生成装置１０は、ストリーム受信部１、ストリーム解析部２、記憶部３、エラー検出部４、切換判断部５、ストリーム出力部６によって構成される。尚、ストリーム受信部１とストリーム解析部２とエラー検出部４と切換判断部５とストリーム出力部６とはＣＭＯＳ型システム大規模半導体集積回路(ＬＳＩ)の内部回路でそれぞれ構成される一方、記憶部３は同期型ダイナミックメモリ(ＳＤＲＡＭ)によって構成されることが可能である。
【００３３】
動画記録ストリーム生成装置１０に２種類の第１の動画ＡのＭＰＥＧ(Moving Picture Expert Group)のトランスポートストリームＴＳ(Transport Stream)と第２の動画ＢのＭＰＥＧのトランスポートストリームＴＳとを含むストリーム１００が入力されることによって、出力動画Ｃのトランスポートストリーム(ＴＳ)１０４が出力される。動画記録ストリーム生成装置１０のストリーム受信部１の入力端子にダブルチューナが接続されることによって、エラー耐性は高いが低画質であるワンセグ(部分受信階層サービス)の地上波デジタル放送の第１の動画ＡのトランスポートストリームＴＳと、エラー耐性は低いが高画質であるフルセグ(固定受信階層サービス)の地上波デジタル放送の第２の動画Ｂが、ストリーム受信部１に供給される。第１の動画Ａと第２の動画Ｂは、共通入力端子から供給される共通入力ストリームでも良いし、２つの独立した入力端子から供給される独立入力ストリームでも良い。また２種類の動画Ａ、動画Ｂの一方を選択して出力動画Ｃとして出力する際に、フレームレートを低下することでデータ量を削減することも可能である。
【００３４】
通常受信時には、エラー耐性は低いが高画質であるフルセグの地上波デジタル放送の第２の動画ＢのトランスポートストリームＴＳが選択され、ストリーム出力部６の出力トランスポートストリーム１０４の出力動画Ｃとして出力される。弱電界における受信時等エラーが多発する状況の場合には、エラー耐性は高いが低画質であるワンセグ(部分受信階層サービス)の地上波デジタル放送の第１の動画ＡのトランスポートストリームＴＳが選択され、ストリーム出力部６の出力トランスポートストリーム１０４の出力動画Ｃとして出力される。
【００３５】
供給される２種類の動画Ａ、動画Ｂを含む入力ストリーム１００に応答してストリーム受信部１は、ストリーム解析部２に出力ストリーム１０１を供給する。また、ストリーム受信部１は、入力ストリーム１００の受信時のエラーを検出して、受信エラー情報１２０を切換判断部５に供給することも可能である。受信時のエラーの検出方法としては、トランスポートストリームＴＳの先頭に付加される順方向誤り訂正(ＦＥＣ：Forward Error Correction)の訂正データを使用したエラー訂正の成功・不成功の最終結果情報や、トランスポートストリームＴＳの途絶による通信エラーの検出情報を利用することができる。
【００３６】
ストリーム解析部２はストリーム受信部１から供給される出力ストリーム１０１のヘッダ情報やサービス情報(ＳＩ：Service Information)等を解析して、ストリーム解析結果１１０をエラー検出部４に供給する。更に、ストリーム解析部２は、ストリーム解析後のトランスポートストリーム１０２を記憶部３に供給するものである。このトランスポートストリーム１０２は、ストリーム解析以前にストリーム受信部１から供給される出力ストリーム１０１のデータと同一でも良く、またトランスポートストリームＴＳのヘッダ情報やパケット化エレメンタリーストリーム(ＰＥＳ：Packetized Elementary Steam)のヘッダ情報等を除去した形式でも良く、また符号化された映像エレメンタリーストリーム(ＶＥＳ：Video Elementary Stream)や音声エレメンタリーストリーム(ＡＥＳ：Audio Elementary Stream)やサービス情報(ＳＩ)等のデマルチプレックス(ＤＥＭＵＸ)による分離後のデータでも良い。また更にストリーム解析部２は、ストリーム解析情報１１０を切換判断部５に供給する。このストリーム解析情報１１０の一例として、ピクチャ毎のデータ量、ヘッダの位置情報、ＭＰＥＧ符号化ピクチャタイプ(Ｉピクチャ(画面内符号化ピクチャ)、Ｐピクチャ(順方向符号化ピクチャ)、Ｂピクチャ(双方向符号化ピクチャ))等がある。
【００３７】
記憶部３はストリーム解析部２から供給されるトランスポートストリーム１０２を一時的に格納するものであり、例えば同期型ダイナミックメモリ(ＳＤＲＡＭ：Synchronous Dynamic Random Access Memory)によって構成されるものである。また、記憶部３に一時蓄積されたデータは、ストリーム出力部６により出力トランスポートストリーム１０４として出力され、図示されていないハードディスク記憶装置(ＨＤＤ：Hard Disk Drive)もしくはフラッシュ不揮発性半導体メモリ装置等の記憶装置に録画されるものである。
【００３８】
エラー検出部４はストリーム解析部２から供給されるストリーム解析結果１１０から、エラーを検出するものある。地上波デジタル放送の場合、エラーの一例としてトランスポートストリームＴＳのヘッダの異常、パケット化エレメンタリーストリーム(ＰＥＳ)のヘッダ異常、エレメンタリーストリーム(ＥＳ)のレベルでの異常等がある。ＴＳヘッダ異常の一例として、１８８バイトのＴＳパケットの先頭に付加される同期コード(０ｘ４７)が出現しない場合等のように、ＭＰＥＧシステムストリームの規格に準拠したストリーム構成と一致しない場合がある。ＥＳレベルでの異常の一例としては、所定サイズ以上のピクチャスタートコードが検出されない場合や、禁止コードが出現する等の規格に準拠したストリーム構成と一致しない場合がある。従ってエラー検出部４は、このようにして検出したストリームエラー情報１１１を切換判断部５に供給するものである。
【００３９】
切換判断部５はエラー検出部４から供給されるストリームエラー情報１１１、ストリーム受信部１から供給される受信エラー情報１２０、ストリーム解析部２から供給されるストリーム解析情報１１０に応答して、ストリーム選択出力信号１１２をストリーム出力部６に供給するものである。ストリームエラー情報１１１と受信エラー情報１２０とストリーム解析情報１１０のいずれかのエラー状態を切換判断部５が検出すると、切換判断部５からストリーム出力部６に供給されるストリーム選択出力信号１１２はＭＰＥＧの動画符号化方式の複数のピクチャを切り換え単位として２種類の動画Ａ、動画Ｂの一方を選択・切り換えして出力動画Ｃとして出力するように動作するものである。
【００４０】
《動画の選択・切り換えの動作》
図２は、図１に示す本発明の実施の形態１による動画記録ストリーム生成装置１０における動画の選択・切り換えの動作のためのエラー検出を説明する図である。
【００４１】
図２の上部には、エラー耐性は低いが高画質であるフルセグの地上波デジタル放送の第２の動画Ｂが切り換え単位Ｂ−１、Ｂ−２、Ｂ−３で示されている。各切り換え単位Ｂ−１、Ｂ−２、Ｂ−３の第２の動画Ｂは、ＭＰＥＧの動画符号化方式の複数のピクチャを含んでいる。一例では、切り換え単位のＭＰＥＧの動画符号化方式の複数のピクチャは、グループオブピクチャ(ＧＯＰ)である。
【００４２】
図４は、ＭＰＥＧの動画符号化方式における階層構造を説明する図である。図４に示すように、ＭＰＥＧの動画符号化方式は動画像全体に対応するシーケンス(Sequence)から離散コサイン変換(ＤＣＴ：Discrete Cosine Transform)の処理単位のブロック(Block)までの６階層の構造を有する。すなわち、第１階層はシーケンス(Sequence)、第２階層はグループオブピクチャ(ＧＯＰ)、第３階層はピクチャ(Picture)、第４階層はスライス(Slice)、第５階層はマクロブロック(Macro-block)、第６階層はブロック(Block)である。この階層構造は動画像構造をベースとしたものであるが、グループオブピクチャ(ＧＯＰ)に含まれるピクチャ(Picture)の数もしくはスライス(Slice)に含まれるマクロブロック(Macro-block)の数は比較的柔軟となっている。尚、図４からは１つのグループオブピクチャ(ＧＯＰ)のデータのサイズは、Ｉピクチャから次のＩピクチャまでの映像データのサイズに略対応することが理解できる。
【００４３】
図２の下部には、切換判断部５によって検出されるストリームエラー情報１１１と受信エラー情報１２０とストリーム解析情報１１０とのいずれかのエラー状態のエラー強度が示されている。図２の下部で、縦軸はエラー強度、横軸は時間である。
【００４４】
図２の縦軸には、第１のエラー強度Ｓ０と第２のエラー強度Ｓ１とが示されている。図２の縦軸の第２のエラー強度Ｓ１より高いエラー状態では、順方向誤り訂正(ＦＥＣ)等の使用によっても低エラー耐性で高画質のフルセグの地上波デジタル放送の第２の動画Ｂの記録後の動画の再生が不可能と判断される。また更に、図２の縦軸の第１のエラー強度Ｓ０よりも低いエラー状態では、順方向誤り訂正(ＦＥＣ)等の使用によって低エラー耐性で高画質のフルセグの地上波デジタル放送の第２の動画Ｂの記録後の動画の再生が可能と判断される。従って、エラー状態が第２のエラー強度Ｓ１よりも高くなると、低エラー耐性で高画質のフルセグの地上波デジタル放送の第２の動画Ｂから高エラー耐性で低画質のワンセグの地上波デジタル放送の第１の動画Ａに切り換えて出力動画Ｃとして出力することにより、記録を実行するものとする。またエラー状態が第１のエラー強度Ｓ０よりも低くなると、高エラー耐性で低画質のワンセグの地上波デジタル放送の第１の動画Ａから低エラー耐性で高画質のフルセグの地上波デジタル放送の第２の動画Ｂに切り換えて出力動画Ｃとして出力することにより、記録を実行するものとする。
【００４５】
図２の例では、時刻ＰＴ１から時刻ＰＴ３の間にエラー状態が第２のエラー強度Ｓ１よりも高くまた第１のエラー強度Ｓ０よりも高くなっているが、この時刻ＰＴ１から時刻ＰＴ３の間に低エラー耐性で高画質のフルセグの地上波デジタル放送の第２の動画Ｂから高エラー耐性で低画質のワンセグの地上波デジタル放送の第１の動画Ａに切り換えて出力動画Ｃとして出力されるものではない。
【００４６】
図３は、図２に示したエラー状態の検出時刻ＰＴ１〜ＰＴ３と図１に示した本発明の実施の形態１による動画記録ストリーム生成装置１０における動画の選択・切り換えの切り換え時刻ＰＴ０〜ＰＴ２との関係を説明する図である。以下に、図３の動画の選択・切り換え動作について、説明する。
【００４７】
すなわち、図２に示すようにエラー状態が第２のエラー強度Ｓ１よりも高くなる時刻ＰＴ１の以前のグループオブピクチャ(ＧＯＰ)の複数のピクチャを含む切り換え単位Ｂ−２の第２の動画Ｂの先頭の時刻ＰＴ０で第２の動画Ｂから第１の動画Ａに切り換えて出力動画Ｃとして出力するように、ストリーム選択出力信号１１２に応答してストリーム出力部６は記憶部３に一次格納された切り換え単位Ａ−２の第１の動画ＡのトランスポートストリームＴＳの読み出し動作を開始する。従って、時刻ＰＴ１の以前の時刻ＰＴ０にて切り換え単位Ｂ−２の低エラー耐性で高画質の第２の動画Ｂから切り換え単位Ａ−２の高エラー耐性で低画質の第１の動画Ａに切り換えられ、出力動画Ｃ(Ａ−２’)として出力されるものである。
【００４８】
さらに、図２に示すようにエラー状態が第１のエラー強度Ｓ０より低くなる時刻ＰＴ３の以前の切り換え単位Ａ−２の第１の動画Ａの終端と切り換え単位Ｂ−３の第２の動画Ｂの先頭との時刻ＰＴ２で第１の動画Ａから第２の動画Ｂに切り換えて出力動画Ｃとして出力するように、ストリーム選択出力信号１１２に応答してストリーム出力部６は記憶部３に一次格納された切り換え単位Ａ−２の第１の動画ＡのトランスポートストリームＴＳの読み出し動作を終了する一方、切り換え単位Ｂ−３の第２の動画ＢのトランスポートストリームＴＳの読み出し動作を開始する。従って、時刻ＰＴ３の以前の時刻ＰＴ２にて切り換え単位Ａ−２の高エラー耐性で低画質の第１の動画Ａから切り換え単位Ｂ−３の低エラー耐性で高画質の第２の動画Ｂに切り換えられ、出力動画Ｃ(Ｂ−３’)として出力されるものである。
【００４９】
また図３から、切り換え単位Ａ−１、Ａ−２、Ａ−３の高エラー耐性で低画質の第１の動画ＡのトランスポートストリームＴＳの記憶部３の格納と切り換え単位Ｂ−１、Ｂ−２、Ｂ−３の低エラー耐性で高画質の第２の動画ＢのトランスポートストリームＴＳの記憶部３の格納の書き込み動作と並列して、エラー状態に応答する２種類の動画Ａ、動画Ｂの一方の選択による記憶部３の読み出し動作によって出力動画Ｃを出力することが可能とされている。また切換判断部５は記憶部３への格納のための書き込み動作の間に２種類の動画Ａ、動画Ｂのエラー状態を監視するものであり、このエラー状態に応答して２種類の動画Ａ、動画Ｂのいずれか一方を出力動画Ｃとして出力する選択を決定するものである。すなわち切換判断部５による記憶部３の書き込み動作の間の選択決定の後、切換判断部５は記憶部３の読み出し動作の間に切り換え単位で選択決定された動画を出力動画Ｃとして出力するものである。
【００５０】
〔実施の形態２〕
《他の動画記録ストリーム生成装置の構成および動作》
図５は、本発明の実施の形態２による動画記録ストリーム生成装置１０の構成を示す図である。
【００５１】
図５に示す動画記録ストリーム生成装置１０は、図１に示した動画記録ストリーム生成装置１０と同様に、ストリーム受信部１、ストリーム解析部２、記憶部３、エラー検出部４、切換判断部５、ストリーム出力部６によって構成される一方、トランスコード処理部７が更に追加されたものである。
【００５２】
すなわち、図５に示す動画記録ストリーム生成装置１０では、トランスコード処理部７の入力と出力とは記憶部３に接続される。尚、ストリーム受信部１とストリーム解析部２とエラー検出部４と切換判断部５とストリーム出力部６とトランスコード処理部７とは、ＣＭＯＳ型システム大規模半導体集積回路(ＬＳＩ)の内部回路でそれぞれ構成されることが可能であり、記憶部３は同期型ダイナミックメモリ(ＳＤＲＡＭ)により構成されることが可能である。
【００５３】
トランスコード処理部７は、低画質の第１の動画Ａが選択されて出力動画Ｃとして出力される際に、第１の動画Ａをトランスコーディング処理することによって、処理後の画像が高画質の第２の動画ＢのトランスポートストリームＴＳのフォーマットと略同一とするものである。例えば、低画質の第１の動画Ａのトランスコーディング処理によってフレームレートを増大することにより、低画質の第１の動画Ａの処理後の画像を高画質とすることができる。
【００５４】
図６は、図５に示す本発明の実施の形態２による動画記録ストリーム生成装置１０における動画の選択・切り換えの動作を説明する図である。
【００５５】
また、図６の３個目には、トランスコード処理部７による低画質の第１の動画Ａのトランスコーディング処理による処理後の画像Ａｔ−１、Ａｔ−２、Ａｔ−３が示されている。
従って図６では、時刻ＰＴ０〜ＰＴ２の間には、トランスコーディング処理後の切り換え単位Ａｔ−２の動画Ａｔが選択され、出力動画Ｃ(Ａｔ−２’)として出力されるものである。
【００５６】
以上、本発明者によってなされた発明を種々の実施の形態に基づいて具体的に説明したが、本発明はそれに限定されるものではなく、その要旨を逸脱しない範囲において種々変更可能であることは言うまでもない。
【００５７】
例えば、本発明の実施の形態１と本発明の実施の形態２とで、切り換え単位の２種類の動画Ａ、動画Ｂの切り換え時に切り換えの繋ぎ目での画像処理の例として、一方の動画の終端から他方の動画の先頭までの数フレーム(ピクチャ)分、同一のフレームを挿入することが可能である。その際には、他方の動画の先頭に、シーケンススタートコードを挿入することもできる。またこの繋ぎ目での画像処理では、繋ぎ目での画像の連続性を向上するために、出力時刻スタンプ(ＰＴＳ：Presentation Time Stamp)等の時刻情報やサービス情報(ＳＩ)のデータを変更することも可能である。
【００５８】
更に本発明の実施の形態２では、トランスコード処理部７は低画質の第１の動画Ａを常時トランスコーディング処理しても良いか、消費電力削減のためにはエラー状態に応答して第１の動画Ａが出力動画Ｃとして出力される期間のみ第１の動画Ａをトランスコーディング処理することも可能である。
【符号の説明】
【００５９】
１…ストリーム受信部
２…ストリーム解析部
３…記憶部
４…エラー検出部
５…切換判断部
６…ストリーム出力部
７…トランスコード処理部
１００…ストリーム
１０１…ストリーム
１０２…ストリーム
１０３…ストリーム
１０４…ストリーム
１１０…ストリーム解析結果
１１１…ストリームエラー情報
１１２…ストリーム選択出力信号
１２０…受信エラー情報
１３０…ストリーム
Ａ…高エラー耐性で低画質であるワンセグ(部分受信階層サービス)の地上波デジタル放送の第１の動画
Ｂ…低エラー耐性で高画質であるフルセグ(固定受信階層サービス)の地上波デジタル放送の第２の動画
【図１】
2011029991.tif 000003
【図２】
2011029991.tif 000004
【図３】
2011029991.tif 000005
【図４】
2011029991.tif 000006
【図５】
2011029991.tif 000007
【図６】
2011029991.tif 000008